【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
物体側から順に配された、正の屈折力を有する第１レンズ群、負の屈折力を有する第２レンズ群、開口絞り、第３レンズ群、正の屈折力を有する第４レンズ群、および第５レンズ群から実質的に構成され、
変倍時に前記第１、第３および第５レンズ群は固定で、前記第２および第４レンズ群が移動し、
合焦時に前記第４レンズ群が移動し、
前記第５レンズ群が像側に凸のメニスカス形状をした単一の接合レンズのみから実質的に構成され、
前記接合レンズの物体側のレンズを構成する媒質が、像面側のレンズを構成する媒質より屈折率が高く、
下記条件式（１）および（２）を満たすことを特徴とするズームレンズ。
０．０５＜Ｙ／Ｂｆ＜０．２０  …（１）
１．８＜Ｌｓｒ／Ｂｆ＜３．５  …（２）
ただし、
Ｙ：最大像高
Ｂｆ：空気換算バックフォーカス
Ｌｓｒ：開口絞りから、最も像側のレンズ面頂点までの光軸上距離
【請求項２】
下記条件式（１’）または（２’）を満たす請求項１に記載のズームレンズ。
０．０８＜Ｙ／Ｂｆ＜０．１８  …（１’）
１．９＜Ｌｓｒ／Ｂｆ＜３．０  …（２’）
【請求項３】
下記条件式（３）を満たす請求項１または２に記載のズームレンズ。
２．０＜｜ｆ１２ｗ／ｆｗ｜＜４．０  …（３）
ただし、
ｆ１２ｗ：広角端における第１レンズ群と第２レンズ群の合成焦点距離
ｆｗ：広角端における全系の焦点距離
【請求項４】
下記条件式（３’）を満たす請求項３に記載のズームレンズ。
２．２＜｜ｆ１２ｗ／ｆｗ｜＜３．５  …（３’）
【請求項５】
下記条件式（４）を満たす請求項１から４いずれか１項に記載のズームレンズ。
５．８＜｜ｆ１／ｆ２｜＜８．０  …（４）
ただし、
ｆ１：第１レンズ群の焦点距離
ｆ２：第２レンズ群の焦点距離
【請求項６】
下記条件式（４’）を満たす請求項５に記載のズームレンズ。
６．０＜｜ｆ１／ｆ２｜＜７．０  …（４’）
【請求項７】
前記第１、第２および第３レンズ群が全体で負の屈折力を有している請求項１から６いずれか１項に記載のズームレンズ。
【請求項８】
下記条件式（５）を満たす請求項１から７いずれか１項に記載のズームレンズ。
７．０＜Ｍｚ／ｆｗ＜１１．０  …（５）
ただし、
Ｍｚ：広角端から望遠端まで変倍した時の第２レンズ群の移動量
ｆｗ：広角端における全系の焦点距離
【請求項９】
下記条件式（６）を満たす請求項１から８いずれか１項に記載のズームレンズ。
１０．０＜Ｌｆｓ／ｆｗ＜２５．０  …（６）
ただし、
Ｌｆｓ：最も物体側のレンズ面頂点から、開口絞りまでの光軸上距離
ｆｗ：広角端における全系の焦点距離
【請求項１０】
下記条件式（６’）を満たす請求項９に記載のズームレンズ。
１５．０＜Ｌｆｓ／ｆｗ＜２０．０  …（６’）
【請求項１１】
前記第２レンズ群の内部に、凸面と凹面を向き合わせた空気間隔、および接合面を含み、
下記条件式（７）を満たす請求項１から１０いずれか１項に記載のズームレンズ。
２．０＜｜（Ｒｚ１＋Ｒｚ２）／（Ｒｚ１−Ｒｚ２）｜＜４．５  …（７）
ただし、
Ｒｚ１，Ｒｚ２：前記凸面および凹面の一方と他方の各曲率半径
【請求項１２】
下記条件式（７’）を満たす請求項１１に記載のズームレンズ。
２．５＜｜（Ｒｚ１＋Ｒｚ２）／（Ｒｚ１−Ｒｚ２）｜＜４．０  …（７’）
【請求項１３】
前記第１レンズ群が、物体側から順に配された、負の屈折力を有するレンズ、このレンズと接合された正の屈折力を有するレンズ、正の屈折力を有するレンズ、および正の屈折力を有するレンズから実質的に構成されている請求項１から１２いずれか１項に記載のズームレンズ。
【請求項１４】
前記第３レンズ群が、物体側から順に配された、防振時に固定される第３ａレンズ群、正の屈折力を有し、防振時に光軸と交わる方向に移動することによって結像面上の像をシフトさせることが可能な第３ｂレンズ群、および負の屈折力を有して防振時に固定される第３ｃレンズ群から実質的に構成されている請求項１から１３いずれか１項に記載のズームレンズ。
【請求項１５】
前記第３ａレンズ群が接合レンズを含む請求項１４に記載のズームレンズ。
【請求項１６】
前記第３ｂレンズ群が、正の屈折力を有するレンズと負の屈折力を有するレンズとが接合されてなる１組の接合レンズから実質的に構成され、
前記正の屈折力を有するレンズの媒質が、前記負の屈折力を有するレンズの媒質よりアッベ数が大きいものである請求項１４または１５に記載のズームレンズ。
【請求項１７】
前記第３ｂレンズ群が、物体側から順に物体側に凹面を向けた負の屈折力を有するメニスカスレンズと正の屈折力を有するレンズとで実質的に構成され、
前記正の屈折力を有するレンズの媒質が、前記負の屈折力を有するレンズの媒質よりアッベ数が大きいものである請求項１４または１５に記載のズームレンズ。
【請求項１８】
前記第４レンズ群が、正の屈折力を有するレンズと負の屈折力を有するレンズとが接合されてなる１組の接合レンズを含み、
前記正の屈折力を有するレンズの媒質が、前記負の屈折力を有するレンズの媒質よりアッベ数が大きいものである請求項１から１７いずれか１項に記載のズームレンズ。
【請求項１９】
前記第４レンズ群が、物体側から順に配された、正の屈折力を有するレンズ、このレンズと接合された負の屈折力を有するレンズ、および非球面を含む正の屈折力を有するレンズから実質的に構成されている請求項１８に記載のズームレンズ。
【請求項２０】
請求項１から１９いずれか１項に記載のズームレンズを備えたことを特徴とする撮像装置。
【手続補正２】
【補正対象書類名】明細書
【補正対象項目名】０００７
【補正方法】変更
【補正の内容】
【０００７】
本発明のズームレンズは、
物体側から順に配された、正の屈折力を有する第１レンズ群、負の屈折力を有する第２レンズ群、開口絞り、第３レンズ群、正の屈折力を有する第４レンズ群、および第５レンズ群から実質的に構成され、
変倍時に第１、第３および第５レンズ群は固定で、第２および第４レンズ群が移動し、
合焦時に第４レンズ群が移動し、
第５レンズ群が像側に凸のメニスカス形状をした単一の接合レンズのみから実質的に構成され、
上記接合レンズの物体側のレンズを構成する媒質が、像面側のレンズを構成する媒質より屈折率が高く、そして、
Ｙ：最大像高
Ｂｆ：空気換算バックフォーカス
Ｌｓｒ：開口絞りから、最も像側のレンズ面頂点までの光軸上距離
として下記条件式（１）および（２）
０．０５＜Ｙ／Ｂｆ＜０．２０  …（１）
１．８＜Ｌｓｒ／Ｂｆ＜３．５  …（２）
を満たすことを特徴とするものである。
【手続補正３】
【補正対象書類名】明細書
【補正対象項目名】００１６
【補正方法】変更
【補正の内容】
【００１６】
また、本発明のズームレンズにおいては、
Ｌｆｓ：最も物体側のレンズ面頂点から、開口絞りまでの光軸上距離
ｆｗ：広角端における全系の焦点距離
として下記条件式（６）
１０．０＜Ｌｆｓ／ｆｗ＜２５．０  …（６）
が満たされていることが望ましい。
【手続補正４】
【補正対象書類名】明細書
【補正対象項目名】００３５
【補正方法】変更
【補正の内容】
【００３５】
さらに本発明のズームレンズは、
Ｙ：最大像高
Ｂｆ：空気換算バックフォーカス
Ｌｓｒ：開口絞りから、最も像側のレンズ面頂点までの光軸上距離
として条件式（１）および（２）
０．０５＜Ｙ／Ｂｆ＜０．２０  …（１）
１．８＜Ｌｓｒ／Ｂｆ＜３．５  …（２）
を満足するように構成されているので、大型化を回避しつつ、適切なバックフォーカスＢｆを確保可能で、また色収差の変動を少なく抑えることができる。なお、その詳しい理由は、後に実施形態に即して詳しく説明する。
【手続補正５】
【補正対象書類名】明細書
【補正対象項目名】００４６
【補正方法】変更
【補正の内容】
【００４６】
そして本ズームレンズは、
Ｙ：最大像高
Ｂｆ：空気換算バックフォーカス
Ｌｓｒ：開口絞りから、最も像側のレンズ面頂点までの光軸上距離
として下記条件式（１）および（２）
０．０５＜Ｙ／Ｂｆ＜０．２０  …（１）
１．８＜Ｌｓｒ／Ｂｆ＜３．５  …（２）
を満足するように構成されている。
【手続補正６】
【補正対象書類名】明細書
【補正対象項目名】００６２
【補正方法】変更
【補正の内容】
【００６２】
また、本実施形態のズームレンズにおいては、
Ｌｆｓ：最も物体側のレンズ面頂点から開口絞りＳｔまでの光軸上距離
ｆｗ：広角端における全系の焦点距離
として下記条件式（６）
１０．０＜Ｌｆｓ／ｆｗ＜２５．０  …（６）
が満足されている。なお、上記レンズ面頂点は、第１レンズ群Ｇ１の最も物体側のレンズの物体側面の頂点となる。表１９に示される通り、具体的に実施例１では、Ｌｆｓ／ｆｗ＝１８．１である。